(57)【特許請求の範囲】
【請求項１】
内球面形状の内周面を有する筒状のリテーナと、
前記リテーナの内径側に位置し、同リテーナの径方向に沿う第１軸部を中心に同リテーナにより回動可能に支持されたアウタリングと、
前記アウタリングの内径側に位置し、同アウタリングの径方向に沿い、且つ前記第１軸部の軸線方向とは異なる方向に延びる第２軸部を中心に同アウタリングにより回動可能に支持されたインナリングと、
前記インナリングの中心軸線から放射状に延びて同インナリングの内径側の空間を複数の領域に分割する複数のスポークを有し、同中心軸線を中心に回動可能に設けられた操作部材と、
空気流案内面を有し、複数の前記領域の扇形の弦に沿う第３軸部を中心に、互いに隣り合う一対の前記スポークによりそれぞれ回動可能に支持された複数のフィン体と、を備え、
前記インナリングの内周面により空調用空気の吹出口が形成され、
前記インナリングには、複数の前記フィン体が係合されるとともに前記操作部材の回動操作に伴い前記第３軸部を中心とした複数の前記フィン体の回動をそれぞれ案内する案内部が設けられ、
複数の前記フィン体の回動により前記インナリングの中心軸線に対する前記空気流案内面の各々の傾斜角度が変更可能に構成されている、
丸型空調用レジスタ。
【請求項２】
複数の前記フィン体は少なくとも、前記インナリングの中心軸線に対する前記空気流案内面の傾斜角度が最大となる閉鎖位置と、前記空気流案内面が前記インナリングの中心軸線に平行となる全開位置とに回動可能に構成されている、
請求項１に記載の丸型空調用レジスタ。
【請求項３】
複数の前記フィン体は、空調用空気の流れ方向の下流側ほど前記空気流案内面が前記インナリングの中心軸線に近接するように傾斜するスポット送風位置に回動可能に構成されている、
請求項２に記載の丸型空調用レジスタ。
【請求項４】
前記アウタリングの外周面には、前記第１軸部が設けられ、
前記リテーナには、前記第１軸部を支持する支持部が設けられ、
前記支持部には、前記第１軸部に相対回動可能に外嵌されて前記アウタリングを回動させる際の摺動抵抗を付与するシムが組み付けられている、
請求項１〜請求項３のいずれか一項に記載の丸型空調用レジスタ。
【請求項５】
前記アウタリングの内周面及び前記インナリングの外周面の一方には、前記第２軸部が設けられ、
前記アウタリングの内周面及び前記インナリングの外周面の他方には、前記第２軸部を支持する支持凹部が設けられ、
前記支持凹部には、前記第２軸部に相対回動可能に外嵌されて前記インナリングを回動させる際の摺動抵抗を付与するシムが組み付けられている、
請求項４に記載の丸型空調用レジスタ。
【発明の詳細な説明】
【技術分野】
【０００１】
本発明は、吹出口の向きを変更可能な丸型空調用レジスタに関する。
【背景技術】
【０００２】
車両のインストルメントパネルには、空調装置から送られてきた空調用空気を吹出口から吹き出す空調用レジスタが組み込まれている。また、従来、丸型の吹出口を有する丸型空調用レジスタがある（例えば特許文献１参照）。
【０００３】
特許文献１に記載の丸型空調用レジスタは、筒状のリテーナと、リテーナの内径側に位置する外筒と、外筒の内径側に位置し、内部に流体流路を有する内筒と、流体流路に開閉自在に設けられた複数のダンパとを備えている。リテーナの内径側にはシムが取り付けられている。このシムの内周面と、同内周面に対向する外筒の外周面とはそれぞれ球面状をなしており、外筒は、所謂ボールジョイントによってリテーナ（シム）に対して方向自在に支持されている。また、外筒は前後一対の筒状の部材からなり、内筒を前後から挟持している。したがって、内筒は、外筒に対して周方向に回動自在に支持されている。
【０００４】
こうした丸型空調用レジスタによれば、所謂ボールジョイントによってリテーナの中心軸線に対する外筒の中心軸線の方向を変更することができ、吹出口の向きを変更することができる。また、内筒を回動させて外筒に対する内筒の位相を変更すると、これに連動して、複数のダンパの開度が変更される。これにより、流体流路を全閉にしたり、全開にしたり、あるいは空調用空気を拡散させたりすることができる。
【先行技術文献】
【特許文献】
【０００５】
【特許文献１】特開２０１４−１８４９４７号公報
【発明の概要】
【発明が解決しようとする課題】
【０００６】
ところで、特許文献１に記載の丸型空調用レジスタにおいては、所謂ボールジョイントによってリテーナ（シム）に対して外筒が支持されている。そのため、外筒の姿勢や変位が不安定になりやすい。またこの場合、外筒の変位が円滑に行なわれるためには、シムの内周面及び外筒の外周面には高い寸法精度が要求される。そのため、レジスタの小型化を図ろうとすると、シムの内周面及び外筒の外周面の寸法精度を一層高めなければならず、加工コストが増大するおそれがある。更にこの場合、外筒の半径を小さくするほどリテーナに対して外筒を回動させる際に大きな力が必要となることから、操作性が悪化するおそれがある。
【０００７】
本発明の目的は、空気流の送風範囲を変更することに加えて、吹出口の向きを複数方向に変更することを簡単な構成によって行なうことのできる丸型空調用レジスタを提供することにある。
【課題を解決するための手段】
【０００８】
上記目的を達成するための丸型空調用レジスタは、筒部を有するリテーナと、前記筒部の内径側に位置し、同筒部の径方向に沿う第１軸部を中心に同筒部により回動可能に支持されたアウタリングと、前記アウタリングの内径側に位置し、同アウタリングの径方向に沿い、且つ前記第１軸部の軸線方向とは異なる方向に延びる第２軸部を中心に同アウタリングにより回動可能に支持されたインナリングと、前記インナリングの中心軸線から放射状に延びて同インナリングの内径側の空間を複数の領域に分割する複数のスポークを有し、同中心軸線を中心に回動可能に設けられた操作部材と、空気流案内面を有し、複数の前記領域の扇形の弦に沿う第３軸部を中心に、互いに隣り合う一対の前記スポークによりそれぞれ回動可能に支持された複数のフィン体と、を備え、前記インナリングの内周面により空調用空気の吹出口が形成され、前記インナリングには、複数の前記フィン体が係合されるとともに前記操作部材の回動操作に伴い前記第３軸部を中心とした複数の前記フィン体の回動をそれぞれ案内する案内部が設けられ、複数の前記フィン体の回動により前記インナリングの中心軸線に対する前記空気流案内面の各々の傾斜角度が変更可能に構成されている。
【０００９】
同構成によれば、リテーナの筒部に対して第１軸部を中心にアウタリングが回動可能とされ、アウタリングに対して第１軸部の軸線方向とは異なる方向に延びる第２軸部を中心にインナリングが回動可能とされている。また、操作部材により複数のフィン体が支持され、これらフィン体がインナリングの案内部に係合されていることから、操作部材を例えば上下や左右にスイング操作することによりアウタリングやインナリングを回動させることができ、吹出口の向きを変更することができる。このように上記構成によれば、アウタリング及びインナリングがそれぞれ第１軸部及び第２軸部を介して安定して支持される。
【００１０】
また、インナリングの内径側が操作部材の複数のスポークによって複数の領域に分割され、これら複数の領域の扇形の弦に沿う第３軸部を中心に複数のフィン体がそれぞれ回動可能とされている。そして、操作部材をインナリングの中心軸線を中心に回動操作すると、複数のフィン体の第３軸部を中心とした回動がインナリングの案内部によって案内される。これにより、インナリングの中心軸線に対する各空気流案内面の傾斜角度がそれぞれ変更される。このため、操作部材によってアウタリング及びインナリングを回動させるのとは別に、操作部材を回動操作して複数のフィン体を回動させることによって空気流の送風範囲を変更することができる。
【００１１】
したがって、空気流の送風範囲を変更することに加えて、吹出口の向きを複数方向に変更することを簡単な構成によって行なうことができる。
上記丸型空調用レジスタにおいて、複数の前記フィン体は少なくとも、前記インナリングの中心軸線に対する前記空気流案内面の傾斜角度が最大となる閉鎖位置と、前記空気流案内面が前記インナリングの中心軸線に平行となる全開位置とに回動可能に構成されていることが好ましい。
【００１２】
同構成によれば、操作部材を回動操作してインナリングの中心軸線に対する空気流案内面の傾斜角度を変更することによって、複数のフィン体を閉鎖位置や全開位置に回動させることができる。したがって、操作部材を回動させるといった簡単な操作によって送風モードを閉鎖モードや全開モードに変更することができる。
【００１３】
上記丸型空調用レジスタにおいて、複数の前記フィン体は、空調用空気の流れ方向の下流側ほど前記空気流案内面が前記インナリングの中心軸線に近接するように傾斜するスポット送風位置に回動可能に構成されていることが好ましい。
【００１４】
同構成によれば、操作部材を回動操作してインナリングの中心軸線に対する空気流案内面の傾斜角度を変更することによって、複数のフィン体をスポット送風位置に回動させることができる。したがって、操作部材を回動させるといった簡単な操作によって送風モードをスポット送風モードに変更することができる。
【００１５】
上記丸型空調用レジスタにおいて、前記アウタリングの外周面には、前記第１軸部が設けられ、前記リテーナには、前記第１軸部を支持する支持部が設けられ、前記支持部には、前記第１軸部に相対回動可能に外嵌されて前記アウタリングを回動させる際の摺動抵抗を付与するシムが組み付けられていることが好ましい。
【００１６】
同構成によれば、アウタリングを回動させる際に、シムによって摺動抵抗が付与されることから、アウタリングを回動させる操作に節度感を与えることができる。
上記丸型空調用レジスタにおいて、前記アウタリングの内周面及び前記インナリングの外周面の一方には、前記第２軸部が設けられ、前記アウタリングの内周面及び前記インナリングの外周面の他方には、前記第２軸部を支持する支持凹部が設けられ、前記支持凹部には、前記第２軸部に相対回動可能に外嵌されて前記インナリングを回動させる際の摺動抵抗を付与するシムが組み付けられていることが好ましい。
【００１７】
同構成によれば、インナリングを回動させる際に、シムによって摺動抵抗が付与されることから、インナリングを回動させる操作に節度感を与えることができる。
【発明の効果】
【００１８】
本発明によれば、空気流の送風範囲を変更することに加えて、吹出口の向きを複数方向に変更することを簡単な構成によって行なうことができる。
【図面の簡単な説明】
【００１９】
【図１】丸型空調用レジスタの一実施形態について、レジスタを中心とした車両のインストルメントパネルの平面図。
【図２】同実施形態のレジスタの斜視図。
【図３】同実施形態のレジスタの分解斜視図。
【図４】図１のＡ−Ａ線に沿ったレジスタ及びインストルメントパネルの断面図。
【図５】同実施形態のレジスタに設けられたフィン体の斜視図。
【図６】（ａ）〜（ｄ）は、フィン体の回動の各段階におけるフィン体及びその周辺の部分断面図。
【図７】（ａ）〜（ｄ）はそれぞれ、閉鎖モード時、拡散送風モード時、全開モード時、及びスポット送風モード時におけるレジスタの正面図。
【図８】図７（ａ）のＢ−Ｂ線に沿ったレジスタの断面図を実線にて、図７（ｃ）のＤ−Ｄ線に沿ったレジスタの断面図を二点鎖線にて併せ示す図。
【図９】図７（ｂ）のＣ−Ｃ線に沿ったレジスタの断面図。
【図１０】図７（ｄ）のＥ−Ｅ線に沿ったレジスタの断面図。
【図１１】変形例におけるインナリング、フィン体、及びフロントリングの分解斜視図。
【図１２】他の変形例におけるインナリング、フィン体、及びフロントリングの分解斜視図。
【図１３】他の変形例におけるインナリング、フィン体、及びフロントリングの分解斜視図。
【発明を実施するための形態】
【００２０】
以下、図１〜図１０を参照して、丸型空調用レジスタの一実施形態について説明する。
図１に示すように、本実施形態の丸型空調用レジスタ（以下、レジスタ）は、車両のインストルメントパネル１１に設けられた開口部１２に取り付けられている。車両の空調装置から送られた空調用空気は、このレジスタ１０を通って車室内に吹き出される。なお、以降の説明では、レジスタ１０における空調用空気の流れ方向上流側を前側といい、その流れ方向下流側を後側ということがある。
【００２１】
図２〜図４に示すように、レジスタ１０は、インストルメントパネル１１の開口部１２に固定されるリテーナ２０を備えている。リテーナ２０は、内球面形状の内周面を有する筒部２１と、筒部２１の外周面から延びる正面視略正方形状のフランジ２２と、筒部２１の前端部の上下方向の中央部に形成された一対の支持部２３，２４とを有している。図３の右方に示される支持部２３は環状をなしている。また、図３の左方に示される支持部２４はレジスタ前側が切り欠かれたＣ字状をなしている。したがって、一対の支持部２３，２４の中心軸線は、リテーナ２０の筒部２１の径方向に沿う第１軸線Ｌ１（本実施形態では図２及び図３の左右方向に沿って延びる第１軸線Ｌ１）とされる。
【００２２】
図３及び図４に示すように、リテーナ２０の筒部２１の内径側には、筒部２１の内周面に沿った外球面形状の外周面、及び内球面形状の内周面を有する円環状のアウタリング３０が設けられている。図３に示すように、アウタリング３０の外周面には、上記一対の支持部２３，２４に回動可能に支持される一対の第１軸部３１が突設されている。一対の第１軸部３１は、アウタリング３０の径方向に沿っている。
【００２３】
図３において左方に示される第１軸部３１には、軟質樹脂材料からなる環状の第１シム７１が相対回動可能に外嵌されており、この第１シム７１が左方の支持部２４に相対回動不能に組み付けられている。したがって、アウタリング３０は、一対の第１軸部３１を中心にリテーナ２０の一対の支持部２３，２４によって回動可能に支持されている。
【００２４】
また、図３及び図４に示すように、アウタリング３０の内周面の上端及び下端には、一対の第２軸部３２が突設されている。一対の第２軸部３２は、アウタリング３０の径方向に沿い、且つ上記第１軸線Ｌ１に直交する第２軸線Ｌ２、すなわち上下方向に沿って延びる第２軸線Ｌ２に沿っている。
【００２５】
アウタリング３０の内径側には、アウタリング３０の内周面に沿った外球面形状の外周面を有する円環状のインナリング４０が設けられている。インナリング４０の外周面の上端及び下端には、アウタリング３０の一対の第２軸部３２を回動可能に支持する一対の支持凹部４２が形成されている。
【００２６】
アウタリング３０の上方の第２軸部３２には、軟質樹脂材料からなる第２シム７２が相対回動可能に外嵌されており、この第２シム７２が上方の支持凹部４２に相対回動不能に組み付けられている。したがって、インナリング４０は、一対の第２軸部３２を中心に回動可能に支持されている。
【００２７】
インナリング４０の内周面は、空調用空気の吹出口４１を形成するものであり、レジスタ後側ほど内径側に位置するように湾曲している。こうしたインナリング４０の内周面には、３組の案内溝対４３が周方向において等間隔に形成されている。なお、図３においては、２組の案内溝対４３のみが示されている。各案内溝対４３は、第１案内溝４４及び第２案内溝４５からなり、これら案内溝４４，４５は互いに平行をなすとともにそれぞれ螺旋状に延びている。
【００２８】
インナリング４０の内径側には、フロントリング５０が設けられている。フロントリング５０は、インナリング４０の中心軸線Ｃから放射状に延びる３つのスポーク５１を有しており、これらスポーク５１によってインナリング４０の内径側の空間が３つの領域に分割される。これら３つの領域は平面視略扇形をなしている。
【００２９】
スポーク５１の先端部の両側面には、同スポーク５１に隣接する扇形の弦に沿う第３軸線Ｌ３上に支持突部５２がそれぞれ突設されている。
フロントリング５０の互いに隣り合う一対のスポーク５１の間には、フィン体６０がそれぞれ設けられている。
【００３０】
フィン体６０は、１枚の主フィン６１と、主フィン６１よりも外周側、すなわちインナリング４０の内周面に近接して配置される１枚の副フィン６２とを有しており、これら主フィン６１と副フィン６２とは周方向における両端部において互いに連結されている。フィン体６０の両端部には支持筒部６３がそれぞれ形成されており、支持筒部６３には、スポーク５１の支持突部５２が相対回動可能に外挿されている。したがって、３つのフィン体６０は、第３軸線Ｌ３を中心にフロントリング５０の支持突部５２によって回動可能にそれぞれ支持されている。
【００３１】
これら主フィン６１及び副フィン６２の表面及び裏面はそれぞれ、空調用空気の流れを案内する空気流案内面とされている。
更に、フィン体６０の副フィン６２の外周面には、インナリング４０の内周面に形成された第１案内溝４４及び第２案内溝４５にそれぞれ係合される２つの球状の突起部６４，６５が設けられている。したがって、フロントリング５０は、３つのフィン体６０を介してインナリング４０によってその中心軸線Ｃを中心に回動可能に支持されている。
【００３２】
続いて、本実施形態のレジスタ１０の作用を説明する。
このレジスタ１０においては、リテーナ２０の筒部２１に対して左右に延びる第１軸部３１を中心にアウタリング３０が回動可能とされ、アウタリング３０に対して上下に延びる第２軸部３２を中心にインナリング４０が回動可能とされている。また、フロントリング５０により３つのフィン体６０が支持され、これらフィン体６０がインナリング４０の第１案内溝４４及び第２案内溝４５に係合されている。このため、スポーク５１を指で摘むなどしてフロントリング５０を上下や左右にスイング操作することによりアウタリング３０やインナリング４０が回動されて吹出口４１の向きを上下及び左右の２方向に変更することができる。このようにアウタリング３０及びインナリング４０がそれぞれ第１軸部３１及び第２軸部３２を介して安定して支持される。
【００３３】
また、このレジスタ１０においては、スポーク５１を指で摘むなどしてフロントリング５０を回動操作してフィン体６０の傾斜角を変更させることにより、空調用空気の吹き出しモードが変更される。なお、ここでのフィン体６０の傾斜角とは、インナリング４０の中心軸線Ｃと、フィン体６０の主フィン６１及び副フィン６２の空気流案内面とがなす角度である。レジスタ１０におけるフィン体６０の傾斜角の変更は、以下の態様で行なわれる。
【００３４】
図６（ａ）に示す全開位置においては、フィン体６０は、その主フィン６１及び副フィン６２の空気流案内面がインナリング４０の中心軸線Ｃと平行になる。このとき、フィン体６０に設けられた２つの突起部６４，６５のうち、レジスタ後方に位置する突起部６４が第１案内溝４４に係合している。
【００３５】
この状態からフロントリング５０を回転させると、図６（ｂ）に示すように、第１案内溝４４における上記突起部６４の係合位置がレジスタ後方に変位するとともにフィン体６０の傾斜角が大きくなる。
【００３６】
この状態からフロントリング５０を更に回転させると、図６（ｃ）に示すように、フィン体６０の傾斜角が更に大きくなるとともに、２つの突起部６４，６５のうちレジスタ前方に位置する突起部６５が第２案内溝４５に係合する。このとき、２つの突起部６４，６５はそれぞれ第１案内溝４４及び第２案内溝４５に係合した状態になる。またこのとき、インナリング４０に対するフロントリング５０の相対回転に応じて、第１案内溝４４及び第２案内溝４５における突起部６４，６５の係合位置がレジスタ前後方向にそれぞれ変位することで、フィン体６０の傾斜角が変更される。
【００３７】
この状態からフロントリング５０を更に回転させると、図６（ｄ）に示すように、レジスタ後方に位置する突起部６４は第１案内溝４４から離脱するが、レジスタ前方に位置する突起部６５と第２案内溝４５との係合状態は維持される。このとき、インナリング４０に対するフロントリング５０の相対回転に応じて、第２案内溝４５における突起部６５の係合位置がレジスタ前後方向に変位することで、フィン体６０の傾斜角が変更される。
【００３８】
図７（ａ）〜図７（ｄ）に示すように、こうしたレジスタ１０においては、インナリング４０に対してフロントリング５０を相対回動させる操作（以下、回動操作）が行なわれると、この回動操作に伴ってフィン体６０の傾斜角が変更されることで空調用空気の送風モードが変更される。
【００３９】
すなわち、フロントリング５０の反時計回り方向への回動量を閉鎖モード時の位置（図７（ａ））から増していくことにより、拡散送風モード（図７（ｂ））、全開モード（図７（ｃ））、スポット送風モード（図７（ｄ））の順に送風モードが変更される。
【００４０】
図８に実線にて示すように、閉鎖モード時においては、フィン体６０は、フィン体６０の傾斜角が最大となる位置（閉鎖位置）にある。このとき、空調用空気の吹出口４１を構成するインナリング４０の内周面とフロントリング５０のスポーク５１との間の空間は、主フィン６１により閉鎖されて吹出口４１からの空調用空気の吹き出しが遮断される。
【００４１】
また、図８に二点鎖線にて示すように、全開モード時においては、フィン体６０は、主フィン６１及び副フィン６２の空気流案内面がインナリング４０の中心軸線Ｃに平行となる位置（全開位置）にある。このとき、空調用空気は、吹出口４１からインナリング４０の中心軸線Ｃに沿って吹き出される。なお、全開モード時においては、レジスタ１０を通過する際の空調用空気の圧力損失が最小となる。
【００４２】
図９に示すように、拡散送風モード時においては、フィン体６０は、フィン体６０の傾斜角が閉鎖モード時と全開モード時との中間の角度となる位置にある。すなわち、フィン体６０は、レジスタ前側ほど、すなわち空調用空気の流れ方向の下流側ほど空気流案内面がインナリング４０の中心軸線Ｃから離間するように傾斜する拡散送風位置にある。このとき、空調用空気は、吹出口４１から放射状に広がるように吹き出され、その結果、車室内への空気流の送風範囲が拡大される。
【００４３】
図１０に示すように、スポット送風モード時においては、フィン体６０は、レジスタ前側ほど、すなわち空調用空気の流れ方向の下流側ほど空気流案内面がインナリング４０の中心軸線Ｃに近接するように傾斜するスポット送風位置にある。このとき、空調用空気は、インナリング４０の中心軸線Ｃ上の一点にて収束するように吹出口４１から吹き出される。
【００４４】
以上説明した本実施形態に係る丸型空調用レジスタによれば、以下に示す効果が得られるようになる。
（１）レジスタ１０のアウタリング３０は、第１軸部３１を中心にリテーナ２０の筒部２１により回動可能に支持され、インナリング４０は、第１軸部３１の軸線Ｌ１に直交する第２軸部３２を中心にアウタリング３０により回動可能に支持されている。また、インナリング４０の内周面により空調用空気の吹出口４１が形成されている。また、インナリング４０の内周面には、複数のフィン体６０が係合されるとともにフロントリング５０の回動操作に伴い支持突部５２を中心とした複数のフィン体６０の回動をそれぞれ案内する第１案内溝４４及び第２案内溝４５が設けられている。また、複数のフィン体６０の回動によりインナリング４０の中心軸線Ｃに対する空気流案内面の各々の傾斜角度が変更可能に構成されている。このため、フロントリング５０を上下や左右にスイング操作することによりアウタリング３０やインナリング４０を回動させることができ、吹出口４１の向きを変更することができる。また、操作部材を回動操作して複数のフィン体６０を回動させることによって空気流の送風範囲を変更することができる。また、アウタリング３０及びインナリング４０がそれぞれ第１軸部３１及び第２軸部３２を介して安定して支持される。したがって、空気流の送風範囲を変更することに加えて、吹出口４１の向きを２方向に変更することを簡単な構成によって行なうことができる。
【００４５】
また、レジスタ１０を小型化する場合であっても、レジスタ１０の体格に比例して軸部３１，３２を小さくする必要がない。このため、ボールジョイントによってリテーナに対して外筒が支持されている特許文献１に記載の技術とは異なり、軸部３１，３２の寸法精度をそれほど高める必要がなく、レジスタ１０の小型化を容易に行なうことができる。また、レジスタ１０を小型化する場合であっても、アウタリング３０やインナリング４０を回動させる際の操作性が悪化しにくい。
【００４６】
（２）インナリング４０の中心軸線Ｃ周辺に、アウタリング３０やインナリング４０を回動可能に支持するための支持部材が存在しない。このため、レジスタ１０を通過する際の空調用空気の圧力損失を低減することができる。
【００４７】
（３）複数のフィン体６０は、インナリング４０の中心軸線Ｃに対する空気流案内面の傾斜角度が最大となる閉鎖位置と、空気流案内面がインナリング４０の中心軸線Ｃに平行となる全開位置とに回動可能に構成されている。このため、フロントリング５０を回動操作してフィン体６０の傾斜角を変更することによって、複数のフィン体６０を閉鎖位置や全開位置に回動させることができる。したがって、フロントリング５０を回動させるといった簡単な操作によって送風モードを閉鎖モードや全開モードに変更することができる。
【００４８】
（４）複数のフィン体６０は、全開位置と閉鎖位置との間の位置であって、空調用空気の流れ方向の下流側ほど空気流案内面がインナリング４０の中心軸線Ｃから離間するように傾斜する拡散送風位置に回動可能に構成されている。このため、フロントリング５０を回動操作してフィン体６０の傾斜角を変更することによって、複数のフィン体６０を拡散送風位置に回動させることができる。したがって、フロントリング５０を回動させるといった簡単な操作によって送風モードを拡散送風モードに変更することができる。
【００４９】
（５）複数のフィン体６０は、空調用空気の流れ方向の下流側ほど空気流案内面がインナリング４０の中心軸線Ｃに近接するように傾斜するスポット送風位置に回動可能に構成されている。このため、フロントリング５０を回動操作してフィン体６０の傾斜角を変更することによって、複数のフィン体６０をスポット送風位置に回動させることができる。したがって、フロントリング５０を回動させるといった簡単な操作によって送風モードをスポット送風モードに変更することができる。
【００５０】
（６）リテーナ２０の一方の支持部２４には、アウタリング３０の一方の第１軸部３１に相対回動可能に外嵌されてアウタリング３０を回動させる際の摺動抵抗を付与する第１シム７１が組み付けられている。
【００５１】
こうした構成によれば、アウタリング３０を回動させる際に、第１シム７１によって摺動抵抗が付与されることから、アウタリング３０を回動させる操作に節度感を与えることができる。
【００５２】
（７）インナリング４０の支持凹部４２には、アウタリング３０の第２軸部３２に相対回動可能に外嵌されてインナリング４０を回動させる際の摺動抵抗を付与する第２シム７２が組み付けられている。
【００５３】
こうした構成によれば、インナリング４０を回動させる際に、第２シム７２によって摺動抵抗が付与されることから、インナリング４０を回動させる操作に節度感を与えることができる。
【００５４】
＜変形例＞
なお、上記実施形態は、例えば以下のように変更することもできる。
・フィン体６０の突起部及びインナリング４０の案内溝を１つずつにすることもできる。
【００５５】
・例えばフィン体６０を４つにすることもできる。
・図１１に示すように、フロントリング５０に対して、内輪部５３及び外輪部５４を同心円上に設定することもできる。なお、図１１に示す構成のうち、上記実施形態の構成と同一のものについては同一の符号を付することにより重複する説明を省略する。また、隣り合うスポーク５１同士の間に、内輪部５３の外周面から径方向外側に向けて外輪部５４を突き抜けて延びる連結部５５を設定することもできる。
【００５６】
・インナリング及びフロントリングを図１２に示すように変更することもできる。なお、図１２に示す構成のうち、上記実施形態の構成と同一のものについては同一の符号を付することにより重複する説明を省略する。また、上記実施形態の構成に対応するものについては「１００」を加算した符号を付することにより重複する説明を省略する。
【００５７】
すなわち、インナリング４０の後端部には、インナリング４０の中心軸線から放射状に延びる３つのスポーク部４６が形成され、その中心部には支持孔４７が形成されている。また、フロントリング１５０の後端部には、中心軸線に沿って後側に延びる支持柱１５６が形成されており、この支持柱１５６が上記支持孔４７によって回動可能に支持される。
【００５８】
また、図１２に示すように、フィン体６０を回動可能に支持する３つのスポーク１５１の前側に、隣り合うスポーク１５１同士の間に位置するように中心軸線から放射状に延びる３つの操作用スポーク１５７を一体的に設けることもできる。この場合、各操作用スポーク１５７を各スポーク１５１と一体形成してもよいし、各操作用スポーク１５７及び各スポーク１５１を別々に形成した後に一体化してもよい。こうした操作用スポーク１５７はスポーク１５１よりも前側に位置しており、フィン体６０から離間している。このため、操作用スポーク１５７を指で摘むなどして操作する際に、フィン体６０に指が当たりにくくなり、使用者に不快感を与えることを適切に回避することができる。
【００５９】
・インナリング、フィン体、及びフロントリングを図１３に示すように変更することもできる。なお、図１３に示す構成のうち、上記実施形態の構成と同一のものについては同一の符号を付することにより重複する説明を省略する。上記実施形態の構成に対応するものについては「２００」を加算した符号を付することにより重複する説明を省略する。
【００６０】
すなわち、インナリング２４０の後端部には、インナリング２４０の中心軸線を中心とした環状の案内ギア２４３が３つのスポーク部２４６を介して連結されている。この案内ギア２４３の前端面には、螺旋状のギアが形成されている。
【００６１】
フィン体２６０の主フィン２６１と副フィン２６２とは、周方向の中央部に設けられたギア付連結部２６６によって連結されている。ギア付連結部２６６には、上記環状の案内ギア２４３に噛合するギアが形成されている。フィン体２６０の両端部には、上記実施形態の支持筒部６３に代えて支持突部２６３がそれぞれ形成されている。
【００６２】
また、フロントリング２５０は、スポーク２５１の先端部を連結するリング部２５８を有している。スポーク２５１の先端部の両側面には、上記実施形態の支持突部５２に代えて支持孔２５２がそれぞれ形成されており、これら支持孔２５２には上記支持突部２６３が外挿される。
【００６３】
こうした構成によれば、案内ギア２４３の前端面に形成されたギアと、フィン体２６０のギア付連結部２６６とが噛合されていることにより、フロントリング２５０の回動操作に伴い３つのフィン体２６０の第３軸線Ｌ３を中心とした回動がそれぞれ案内されることとなる。
【００６４】
・第２シム７２を省略することもできる。この場合、インナリング４０を回動させる操作の節度感を確保する上では、アウタリング３０の第２軸部３２の外周面に軟質樹脂材料を一体成形したり、インナリング４０の支持凹部４２の内周面に軟質樹脂材料を一体成形したりすることが好ましい。
【００６５】
・第１シム７１を省略することができる。この場合、アウタリング３０を回動させる操作の節度感を確保する上では、アウタリング３０の第１軸部３１の外周面に軟質樹脂材料を一体成形したり、リテーナ２０の支持部２４の内周面に軟質樹脂材料を一体成形したりすることが好ましい。
【００６６】
・フィン体６０の回動範囲を適宜変更することもできる。例えば、フィン体６０を閉鎖位置から全開位置までは回動するものの、スポット送風位置までは回動しないように構成することもできる。また、フィン体６０をインナリング４０の中心軸線Ｃに平行となる全開位置まで回動しないように構成することもできる。
【符号の説明】
【００６７】
１０…レジスタ、１１…インストルメントパネル、１２…開口部、２０…リテーナ、２１…筒部、２２…フランジ、２３，２４…支持部、３０…アウタリング（アウタリング）、３１…第１軸部、３２…第２軸部、４０，２４０…インナリング（インナリング）、４１，２４１…吹出口、４２…支持凹部、４３…案内溝対、４４…第１案内溝（案内部）、４５…第２案内溝（案内部）、４６，２４６…スポーク部、４７…支持孔、５０，１５０，２５０…フロントリング（操作部材）、５１，１５１，２５１…スポーク、５２，１５２…支持突部（第３軸部）、５３…内輪部、５４…外輪部、５５…連結部、６０，２６０…フィン体、６１，２６１…主フィン、６２，２６２…副フィン、６３…支持筒部、６４，６５…突起部、７１…第１シム、７２…第２シム、１５６…支持柱、１５７…操作用スポーク、２４３…案内ギア（案内部）、２５２…支持孔、２５８…リング部、２６３…支持突部（第３軸部）、２６６…ギア付連結部、Ｌ１…第１軸線、Ｌ２…第２軸線、Ｌ３…第３軸線、Ｃ…中心軸線。
【図１】
0006344322.tif 000002
【図２】
0006344322.tif 000003
【図３】
0006344322.tif 000004
【図４】
0006344322.tif 000005
【図５】
0006344322.tif 000006
【図６】
0006344322.tif 000007
【図７】
0006344322.tif 000008
【図８】
0006344322.tif 000009
【図９】
0006344322.tif 000010
【図１０】
0006344322.tif 000011
【図１１】
0006344322.tif 000012
【図１２】
0006344322.tif 000013
【図１３】
0006344322.tif 000014